(57)【特許請求の範囲】
【請求項１】
少なくとも映像と、音声と、番組が延長された場合に別のチャンネルで放送を続行することを通知する放送延長情報と、を含んだデジタル放送を受信するデジタル放送受信装置において、受信された番組を記録部に記録して所定の時間遅延させて読み出して視聴するタイムシフト手段と、前記放送延長情報として番組の放送延長の旨と該番組の放送延長に用いる別チャンネルと該別チャンネルへの変更時刻とが指定されている場合、該別チャンネルへの変更時刻に到達した際に、受信チャンネルを前記別チャンネルに変更するチャンネル変更手段と、を具備し、前記タイムシフト手段によりタイムシフトされた番組を視聴している場合に、前記放送延長情報に指定されている変更時刻に到達した際、前記チャンネル変更手段により、受信チャンネルを前記別チャンネルに変更して前記記録部に記録することを特徴とするデジタル放送受信装置。
【請求項２】
前記放送延長情報を視聴中の番組に重畳して、または、番組に代えて画面に表示する表示手段、を具備することを特徴とする請求項１に記載のデジタル放送受信装置。
【請求項３】
前記放送延長情報に基づいて、チャンネルを変更するか否かを設定する選択手段、を具備することを特徴とする請求項１または請求項２に記載のデジタル放送受信装置。
【発明の詳細な説明】
【０００１】
【発明の属する技術分野】
本発明は  映像・音声の記録再生機能を有するデジタル放送受信装置に関し、特に、所謂タイムシフト機能を有するデジタル放送受信装置に好適に適用できるものである。
【０００２】
【従来の技術】
タイムシフト機能を有したテレビジョン受信機として特開平６−１４２７４号公報に開示されたものがある。
【０００３】
図７に上記公報に開示されたテレビジョン受信機の構成を示す。
【０００４】
図7において、１は映像・音声信号復調部、２は映像・音声信号出力部、３はメモリ部、１０はアンテナ、１１は信号受信部、１２は映像信号復調部、１３は音声信号復調部、１４は映像信号出力部、１５は音声信号出力部、１６はモニタ、１７はスピーカである。
【０００５】
アンテナ１０で受信された信号は、まず映像／音声信号復調部１の信号受信機部１１に入力され、更に、映像信号は映像信号復調部１２にて、音声信号は音声信号復調部１３にて、それぞれ復調される。
【０００６】
次に、復調された映像信号と音声信号はメモリ部３に書き込まれ、ここである時間（ＴＤ）分だけタイムシフトされた後、読み出される。ＴＤ時間分タイムシフトされた映像信号と音声信号は、映像・音声信号出力部２に入力され、映像信号は映像信号出力部１４を通して、音声信号は音声信号出力部１５を通して、それぞれモニタ１６及びスピーカ１７を介して出力表示される。
【０００７】
【発明が解決しようとしている課題】
ところで、ＢＳデジタル放送ではハイビジョン放送で野球中継等を行っている際に、その放送時間枠内で野球の試合が終了しなかった場合、そのハイビジョン放送のビットレートを減らして新たに一時的な別の番組枠を設け、その新しく設けられた番組内で引き続き野球中継を延長放送する一方、ビットレートを減らされた本来のハイビジョン番組では予定どおりの定時番組を放送する臨時放送サービスを行っている。
【０００８】
このような臨時放送サービスでは、番組終了近くに視聴者に対し臨時放送サービス（延長された野球中継）を視聴する為に選局を行なうか（以下、延長された放送を視聴するために選局を行なうことをイベントリレーという）、このまま定時番組を視聴するかの選択を求めるアナウンスやメッセージスーパーが放送される。
【０００９】
また、ＢＳデジタル放送では放送波に各種番組ＳＩ（サービスインフォメーション）を有しており、この中のＥＩＴ［ｐ／ｆ］に放送延長時イベントリレーグループ情報が書き込まれ、放送延長が行なわれるチャンネル、延長される時間の情報が伝送される。
【００１０】
ここで、タイムシフト視聴をしている際に上記のような臨時放送サービスが行われた場合タイムシフト視聴に支障をきたす虞がある。
【００１１】
この様子を図６を用いて説明する。
【００１２】
同図（ａ）は、チャンネル１にてＰＭ８：００〜９：００は番組Ａが放送され、ＰＭ９：００からは番組Ｂが放送される様子を示している。ここで、番組Ａの放送が延長されると、ＰＭ９：００以降の番組Ａは、同図（ｂ）に示すようにチャンネル２で延長番組Ｃとして放送される。
【００１３】
一方、同図（ｃ）に、同図（ａ）のチャンネル１をタイムシフト視聴している場合を示す。この場合、実際の番組Ａの内容と視聴している内容との間にタイムシフトに起因する遅延が生じる。このため、このままタイムシフト視聴を続け番組Ａの終了を視聴者が知ったときには、同図（ｄ）に示すように、すでにタイムシフト視聴用の映像・音声データとして番組Ｂの内容が記録されてしまっている。
【００１４】
従って、この時点で視聴者がイベントリレーの選択を求めるアナウンスやメッセージスーパーの指示に従い選局を行ってチャンネル２の延長番組Ｃを視聴しても、同図（ｅ）に示すようにタイムシフト遅延分だけ番組Ｂの内容が入ってしまい、その分延長番組Ｃを視聴できない時間帯が発生してしまう。
【００１５】
これは番組Ａが終了し視聴者にイベントリレーの選択を求めるアナウンスやメッセージスーパーが放送される時点では視聴者はタイムシフトされて遅れた放送を視聴しているため、イベントリレー選択を適切に行なうことができないことに起因する。
【００１６】
本発明は、かかる課題を鑑み、これを解決したデジタル放送受信装置を提供するものである。
【００１７】
【課題を解決するための手段】
本発明は、かかる課題を解決するため以下のような手段を講じた。
【００１８】
即ち、本発明にかかるデジタル放送受信装置は、少なくとも映像と、音声と、番組が延長された場合に別のチャンネルで放送を続行することを通知する放送延長情報と、を含んだデジタル放送を受信するデジタル放送受信装置において、受信された番組を記録部に記録して所定の時間遅延させて読み出して視聴するタイムシフト手段と、前記放送延長情報として番組の放送延長の旨と該番組の放送延長に用いる別チャンネルと該別チャンネルへの変更時刻とが指定されている場合、該別チャンネルへの変更時刻に到達した際に、受信チャンネルを前記別チャンネルに変更するチャンネル変更手段と、を具備し、前記タイムシフト手段によりタイムシフトされた番組を視聴している場合に、前記放送延長情報に指定されている変更時刻に到達した際、前記チャンネル変更手段により、受信チャンネルを前記別チャンネルに変更して前記記録部に記録することを特徴とする。
【００１９】
ここで、前記放送延長情報を視聴中の番組に重畳して、または、番組に代えて画面に表示する表示手段、を具備することが好ましい。
【００２０】
また、前記放送延長情報に基づいて、チャンネルを変更するか否かを設定する選択手段、を具備することが好ましい。
【００２１】
【発明の実施の形態】
本発明にかかるデジタル放送受信装置の実施形態の一例を図１に示す。
【００２２】
図1において、１０１は放送信号を受け、選局及び映像・音声信号への復調を行なう選局・デコード部、１０２はタイムシフト視聴を行うための映像・音声信号の一次保持機能をもつ記録部、１０３は保持された映像・音声信号からビデオ信号を出力する映像・音声信号発生部、１０４は選局・デコード部１において復号された信号からＳＩ（サービスインフォメーション）を取り出しＥＩＴ［ｐ／ｆ］に含まれるイベントリレーグループ情報を検出する検知部、１０５は検知部より受け取ったイベントリレー情報を保持し、イベントリレーに連動した選局動作を制御する制御部、１０６は視聴者に対し放送延長の告知とイベントリレー可否の要求、または事前にイベントリレーに関する設定の要求をおこなうメッセージを作成する文字生成部、１０７は視聴者が操作信号を入力するリモコンと制御信号を受信する受光部である。
【００２３】
また、図２は本発明にかかるデジタル放送受信装置の動作手順を示すフローチャートである。以下、図２のフローチャートを用いて本発明にかかるデジタル放送受信装置の動作を説明する。
【００２４】
まず、アンテナより入力された信号は選局・デコード部１０１を介して復調され、記録部１０２に記録される。記録部１０２からの信号は時間遅延を施されて映像・音声信号発生部１０３に出力されタイムシフト視聴を実現する（ステップＳ２０１）。
【００２５】
次に、検知部１０４は選局・デコード部１０１において復号された信号からＳＩ（サービスインフォメーション）を取り出しＥＩＴ［ｐ／ｆ］に含まれるイベントリレーグループ情報を検出し制御部１０５に通知を行なう（ステップＳ２０２）。
【００２６】
続いて、制御部１０５は検知部１０４より得られたＥＩＴ［ｐ／ｆ］から放送延長番組の放送されるチャンネルとリレー時刻、延長時間情報を取り出し保持する（ステップＳ２０３）。更に、制御部５はイベントリレー情報にしたがってリレー時刻（即ち、別チャンネルへの変更時刻）に到達した際に選局・デコード部１０１に選局の指示を出す（ステップＳ２０４）。
【００２７】
続いて、選局・デコード部１０１はイベントリレーに連動するように選局処理を行ない復調された映像・音声信号は記録部１０２に記録される。記録部１０２からの信号は時間遅延を施されて映像・音声信号発生部１０３に出力される（ステップＳ２０５）。
【００２８】
最後に、映像・音声信号発生装置１０３は記録部１０２よりの映像音声信号をビデオ信号等に変換しモニタ１６に出力を行なう（ステップＳ２０６）。
【００２９】
以上のようにＥＩＴから得られた番組延長情報を基に、自動的にチャンネルを変更するので、タイムシフト視聴により視聴者がイベントリレーに気づいたときには、既にチャンネルが変わっていたと言うような不都合を回避することができる。
【００３０】
また、図３は本発明の実施形態にかかる他の処理手順を示したフローチャートである。
【００３１】
まず、アンテナより入力された信号は選局・デコード部１０１を経由し、復調され記録部１０２に記録される。記録部１０２からの信号は時間遅延を施されて映像・音声信号発生部１０３に出力されタイムシフト視聴を実現する（ステップＳ３０１）。
【００３２】
次に、検知部１０４は選局・デコード部１０１において復号された信号からＳＩ（サービスインフォメーション）を取り出しＥＩＴ［ｐ／ｆ］に含まれるイベントリレーグループ情報を検出し制御部１０５に通知を行なう（ステップＳ３０２）。
【００３３】
続いて、制御部１０５は検知部１０４より得られたＥＩＴ［ｐ／ｆ］から放送延長番組の放送されるチャンネルとリレー時刻、延長時間情報を取り出し保持する（ステップＳ３０３）。ここで、制御部１０５では文字生成器１０６において視聴者に対し放送延長の告知とイベントリレー可否の要求をおこなうメッセージを作成し、映像・音声信号発生部１０３へ出力する。映像・音声信号発生装置１０３は記録部１０２よりの映像音声と文字生成部１０６のメッセージを合成し、モニタ１６への出力を行なう（ステップＳ３０４）。尚、モニタ１６での表示例を図４に示す。
【００３４】
続いて、視聴者の選択はリモコンを通じてなされ、リモコンよりの信号は受光部１０７を経由し制御部１０５に送られる。制御部１０５は視聴者の判断によって選局の可否を決定する（ステップＳ３０５）。
【００３５】
続いて、制御部１０５はイベントリレー情報にしたがってリレー時刻に到達した際に選局・デコード部１０１に選局の指示を出す（ステップＳ３０６）。
【００３６】
更に、選局・デコード部１０１はイベントリレーに連動するように選局処理を行ない復調された映像・音声信号は記録部１０２に記録される。記録部１０２からの信号は時間遅延を施されて映像・音声信号発生部１０３に出力される（ステップＳ３０７）。
【００３７】
最後に、映像・音声信号発生装置１０３は記録部１０２よりの映像音声信号をビデオ信号等に変換しモニターに出力を行なう（ステップＳ３０８）。
【００３８】
以上のようにＥＩＴから得られた番組延長情報を基に、自動的にチャンネルを変更するか否かを視聴者に選択させるようにしたので、視聴者の意思を反映した視聴を行うことができる。
【００３９】
また、図５は本発明にかかる実施形態の他の処理手順を示すフローチャートである。
【００４０】
まず、制御部１０５では文字生成部１０６において視聴者に対しタイムシフト視聴時に放送延長が発生した場合にイベントリレーを行なうか否かの設定を要求するメッセージを作成し、映像・音声信号発生部３へ出力する。映像・音声信号発生装置１０３は記録部１０２よりの映像音声と文字生成部１０６のメッセージを合成し、モニタ１６への出力を行なう。視聴者の選択はリモコンを通じてなされ、リモコンよりの信号は受光部１０７を経由し制御部１０５に送られる。制御部１０５は視聴者の判断によって選局の可否を決定し、その設定を保持する（ステップＳ５０１）。
【００４１】
次に、アンテナより入力された信号は選局・デコード部１０１を経由し、復調され、記録部１０２に記録される。記録部１０２からの信号は時間遅延を施されて映像・音声信号発生部１０３に出力されタイムシフト視聴を実現する（ステップＳ５０２）。
【００４２】
続いて、検知部１０４は選局・デコード部において復号された信号からＳＩ（サービスインフォメーション）を取り出しＥＩＴ［ｐ／ｆ］に含まれるイベントリレーグループ情報を検出し制御部１０５に通知を行なう（ステップＳ５０３）。
【００４３】
続いて、制御部１０５は検知部１０４より得られたＥＩＴ［ｐ／ｆ］から放送延長番組の放送されるチャンネルとリレー時刻、延長時間情報を取り出し保持する（ステップＳ５０４）。ここで、制御部１０５は視聴者によって設定され、保持している設定値を参照し、イベントリレーに追従するか否かを決定する（ステップＳ５０５）。
【００４４】
続いて、イベントリレー追従が決定していれば、制御部１０５はイベントリレー情報に従ってリレー時刻に到達した際に選局・デコード部１０１に選局の指示を出す（ステップＳ５０６）。
【００４５】
更に、選局・デコード部１０１はイベントリレーに連動するように選局処理を行ない復調された映像・音声信号は記録部１０２に記録される。記録部１０２からの信号は時間遅延を施されて映像・音声信号発生部１０３に出力される（ステップＳ５０７）。
【００４６】
最後に、映像・音声信号発生装置１０３は記録部１０２よりの映像音声信号をビデオ信号等に変換しモニタ１６に出力を行なう（ステップＳ５０８）。
【００４７】
以上のように放送延長が発生した場合にイベントリレーを行なうか否かの設定を事前にしておくことで視聴中に選択を行なう煩わしさを解消することができる。
【００４８】
【発明の効果】
本発明によれば、自動的に、或いは視聴者の設定によりイベントリレーに追従し選局を行なうことができ、タイムシフト視聴を行なう場合でも問題なく放送延長分の番組を視聴することが可能になる。
【図面の簡単な説明】
【図１】本発明にかかるデジタル放送受信装置の構成図である。
【図２】本発明にかかるデジタル放送受信装置の動作手順を説明したフローチャートである。
【図３】本発明にかかるデジタル放送受信装置の他の動作手順を説明したフローチャートである。
【図４】放送延長が生じた場合のイベントリレーの可否を問い合わせる画面表示例である。
【図５】本発明にかかるデジタル放送受信装置の他の動作手順を説明したフローチャートである。
【図６】タイムシフト視聴中にイベントリレーを行ったときの説明図である。
【図７】従来のデジタル放送受信装置の構成図である。
【符号の説明】
１・・映像・音声信号復調部、２・・映像・音声信号出力部、３・・メモリ部、１０・・アンテナ、１１・・信号受信部、１２・・映像信号復調部、１３・・音声信号復調部、１４・・映像信号出力部、１５・・音声信号出力部、１６・・モニタ、１７・・スピーカ、１０１・・選局・デコード部、１０２・・記録部、１０３・・映像・音声信号発生部、１０４・・検知部、１０５・・制御部、１０６・・文字生成部、１０７・・受光部
【図１】
0003708028.tif 000002
【図２】
0003708028.tif 000003
【図３】
0003708028.tif 000004
【図４】
0003708028.tif 000005
【図５】
0003708028.tif 000006
【図６】
0003708028.tif 000007
【図７】
0003708028.tif 000008